【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
酸素バリア組成物であって、
ポリマー；
金属；
および
構造（ＩＩ）を有する化合物
【化１】
2007504349.tif 000001
［上式中、
−Ｅは、−Ｃ（＝Ｏ）Ｈ、−ＣＨ２Ｒ１および−ＣＨＲ１Ｒ２からなる群から選択され；
Ｒ１は、Ｒ１が少なくとも２個の炭素原子を有し、カルボニル基を含有しないような−Ｏ−Ｒ３−Ｒ４または−Ｏ−Ｒ４であり、Ｒ３およびＲ４はそれぞれ独立に、アルキル、アルケニル、アルキニル、ヘテロアルキル、アリールおよび複素環からなる群から選択され；
Ｒ２は、Ｒ２が少なくとも２個の炭素原子を有し、カルボニル基を含有しないような−Ｏ−Ｒ５−Ｒ６または−Ｏ−Ｒ６であり、Ｒ５およびＲ６はそれぞれ独立に、アルキル、アルケニル、アルキニル、ヘテロアルキル、アリールおよび複素環からなる群から選択されるか；
または、Ｒ１およびＲ２は、それらが結合している原子と一緒になって、５から２０個の環原子を有する環を形成する］
を含む酸素バリア組成物。
【請求項２】
多相ポリマー性組成物であって、
第１ポリマーを有する第１相；および
第２ポリマー、金属および構造（Ｉ）を有する化合物を含む第２相
【化２】
2007504349.tif 000002
［上式中、
＝Ａは、３から２０個の炭素原子からなるアルケニル基、５から２０個の炭素原子からなるシクロアルケニル基および構造＝ＣＨ−Ｅを有する基から構成される群から選択され；
−Ｅは、−ＣＨ２ＯＨ、−ＣＨ（ＯＨ）２、−Ｃ（＝Ｏ）Ｈ、−ＣＨ２Ｒ１および−ＣＨＲ１Ｒ２からなる群から選択され；
Ｒ１は、−Ｏ−Ｒ３−Ｒ４または−Ｏ−Ｒ４であり、ここで、Ｒ３およびＲ４は、カルボニル基を含まず、独立に、アルキル、アルケニル、アルキニル、ヘテロアルキル、アリールおよび複素環からなる群から選択され；
Ｒ２は、−Ｏ−Ｒ５−Ｒ６または−Ｏ−Ｒ６であり、ここで、Ｒ５およびＲ６はカルボニル基を含まず、独立に、アルキル、アルケニル、アルキニル、ヘテロアルキル、アリールおよび複素環からなる群から選択され；または、
Ｒ１およびＲ２は、それらが結合している原子と一緒になって、５から２０個の環原子を有する環を形成する］
を含む多相ポリマー性組成物。
【請求項３】
−Ｅが−ＣＨＲ１（−Ｏ−Ｒ６）であり、Ｒ６は、２から２０個の炭素原子を有するアルキル基および２から２０個の原子を有するアルケニル基から構成される群から選択される請求項１記載の組成物。
【請求項４】
＝Ａが、＝ＣＨ−ＣＨＲ１（−Ｏ−Ｒ６）であり、Ｒ６は、１から２０個の炭素原子を有するアルキル基および２から２０個の原子を有するアルケニル基から構成される群から選択される請求項２記載の多相組成物。
【請求項５】
Ｒ６は、４から２０個の原子と少なくとも２個の炭素―炭素二重結合を有するアルケニル基である請求項３および４のいずれかに記載の組成物。
【請求項６】
−Ｅが−ＣＨＲ（−Ｏ−Ｒ５−Ｒ６）であり、Ｒ５は、１から２０個の炭素原子を有するアルキル基、２から２０個の原子を有するアルケニル基および５から２０個の炭素原子を有するアリール基から構成される群から選択される請求項１記載の組成物。
【請求項７】
＝Ａが、＝ＣＨ−ＣＨＲ１（−Ｏ−Ｒ５−Ｒ６）であり、Ｒ５は、１から２０個の炭素原子を有するアルキル基、２から２０個の原子を有するアルケニル基および５から２０個の炭素原子を有するアリール基から構成される群から選択される請求項２記載の多相組成物。
【請求項８】
Ｒ６が、１から２０個の炭素原子を有するアルキル基、２から２０個の原子を有するアルケニル基および５から２０個の炭素原子を有するアリール基から構成される群から選択される請求項６および７のいずれかに記載の組成物。
【請求項９】
Ｒ５が、１から２０個の炭素原子を有するアルキル基であり、Ｒ６が、５から２０個の炭素原子を有するアリール基である請求項６および７のいずれかに記載の組成物。
【請求項１０】
Ｒ５が、５から２０個の炭素原子を有するアリール基であり、Ｒ６が、５から２０個の炭素原子を有するアリール基である請求項６および７のいずれかに記載の組成物。
【請求項１１】
−Ｅが−ＣＨ２（−Ｏ−Ｒ４）であり、Ｒ４は、２から２０個の炭素原子を有するアルキル基および２から２０個の原子を有するアルケニル基から構成される群から選択される請求項１記載の組成物。
【請求項１２】
＝Ａが、＝ＣＨ−ＣＨ２（−Ｏ−Ｒ４）であり、Ｒ４は、１から２０個の炭素原子を有するアルキル基および２から２０個の原子を有するアルケニル基から構成される群から選択される請求項２記載の多相組成物。
【請求項１３】
Ｒ４が、４から２０個の原子と少なくとも２個の炭素―炭素二重結合を有するアルケニル基である請求項１１および１２のいずれかに記載の組成物。  
【請求項１４】
−Ｅが−ＣＨ２（−Ｏ−Ｒ３−Ｒ４）であり、Ｒ３は、１から２０個の炭素原子を有するアルキル基、２から２０個の原子を有するアルケニル基および５から２０個の炭素原子を有するアリール基から選択される請求項１記載の組成物。
【請求項１５】
＝Ａが、＝ＣＨ−ＣＨ２（−Ｏ−Ｒ３−Ｒ４）であり、Ｒ３は、１から２０個の炭素原子を有するアルキル基、２から２０個の原子を有するアルケニル基および５から２０個の炭素原子を有するアリール基から構成される群から選択される請求項２記載の多相組成物。
【請求項１６】
Ｒ４は、１から２０個の炭素原子を有するアルキル基、２から２０個の原子を有するアルケニル基および５から２０個の炭素原子を有するアリール基から構成される群から選択される請求項１４および１５のいずれかに記載の組成物。
【請求項１７】
Ｒ３が、１から２０個の炭素原子を有するアルキル基であり、Ｒ４が、５から２０個の炭素原子を有するアリール基である請求項１４および１５のいずれかに記載の組成物。
【請求項１８】
Ｒ３が、５から２０個の炭素原子を有するアリール基であり、Ｒ４が、５から２０個の炭素原子を有するアリール基である請求項１３および１４のいずれかに記載の組成物。
【請求項１９】
Ｒ１およびＲ２は、それらが結合している原子と一緒になって、シクロアルキル、シクロアルケニル、アリールおよび複素環から構成される群から選択される環を形成する請求項１および２のいずれかに記載の組成物。
【請求項２０】
Ｒ１およびＲ２は一緒になって、１から５個の酸素原子を有する請求項１９記載の組成物。
【請求項２１】
Ｒ１およびＲ２は一緒になって、２から９個の炭素原子を有する請求項２０記載の組成物。
【請求項２２】
前記ポリマーが、ポリオレフィン、ポリアクリレート、ポリエステル、塩素化ポリマー、スチレン系ポリマー、アイオノマー、およびポリカーボネートから構成される群から選択される請求項１記載の組成物。
【請求項２３】
前記ポリマーが、ポリエチレン、ポリプロピレン、ポリ（ビニルアルコール）、およびそれらのコポリマー類およびブレンド類から構成される群から選択したポリオレフィンを含む請求項２２記載の組成物。
【請求項２４】
前記ポリマーが、ポリ（メチルアクリレート）、ポリ（メチルメタクリレート）、ポリ（エチルアクリレート）、ポリ（エチルメタクリレート）、およびそれらのコポリマー類およびブレンド類から構成される群から選択したポリアクリレートを含む請求項２２記載の組成物。
【請求項２５】
前記ポリマーが、ポリ（ビニルクロリド）、ポリ（ビニリデンクロリド）およびそれらのコポリマー類およびブレンド類から構成される群から選択した塩素化ポリマーを含む請求項２２記載の組成物。
【請求項２６】
前記ポリマーが、ポリ（エチレンテレフタレート）、ポリ（ブチレンテレフタレート）、ポリ（エチレンナフタレート）、ポリ（乳酸）、ポリ（グリコール酸）、およびそれらのコポリマー類およびブレンド類から構成される群から選択したポリエステルを含む請求項２２記載の組成物。
【請求項２７】
請求項１に従属する組成物または請求項２に従属する第２相中における前記化合物の濃度が、約０．００１重量％から約５重量％である先行するいずれかの請求項に記載の組成物。
【請求項２８】
前記化合物の濃度が、約０．０１重量％から約４重量％である請求項２７記載の組成物。
【請求項２９】
前記化合物の濃度が、約０．０５重量％から約３重量％である請求項２８記載の組成物。
【請求項３０】
前記金属が遷移金属を含む先行するいずれかの請求項に記載の組成物。
【請求項３１】
前記金属が、鉄、コバルト、ニッケル、ルテニウム、ロジウム、パラジウム、オスミウム、イリジウム、白金、銅、マンガンおよび亜鉛から構成される群から選択される請求項３０記載の組成物。
【請求項３２】
前記金属がコバルトである請求項３１記載の組成物。
【請求項３３】
前記金属が、錯体として存在する請求項１および２のいずれかに記載の組成物。
【請求項３４】
前記金属が、２−エチルヘキサン酸コバルト（ＩＩ）、ネオデカン酸コバルト（ＩＩ）、酢酸コバルト（ＩＩ）およびオレイン酸コバルト（ＩＩ）から構成される群から選択した錯体として存在する請求項３３記載の組成物。
【請求項３５】
請求項１に従属する組成物または請求項２に従属する第２相中における前記金属の濃度が、約３０ｐｐｍから約５、０００ｐｐｍである先行するいずれかの請求項に記載の組成物。
【請求項３６】
前記金属の濃度が、約２００ｐｐｍから約２，５００ｐｐｍである請求項３５記載の組成物。
【請求項３７】
−Ｅが−ＣＨＲ１Ｒ２であり、Ｒ１およびＲ２は、−ＯＣＨ２ＣＨ３；−ＯＣＨ２−Ｃ６Ｈ５；−ＯＣＨ＝Ｃ（ＣＨ３）（ＣＨ２）２ＣＨ＝Ｃ（ＣＨ３）２；−ＯＣ６Ｈ４−Ｃ（ＣＨ３）２−Ｃ６Ｈ５；および−ＯＣＨ（ＣＨ＝ＣＨ（ＣＨ２）７ＣＨ３）−（ＯＣＨ２ＣＨ＝Ｃ（ＣＨ３）（ＣＨ２）２ＣＨ＝Ｃ（ＣＨ３）２から構成される群からそれぞれ独立して選択される請求項１記載の組成物。
【請求項３８】
−Ｅが−ＣＨ２Ｒ１であり、Ｒ１は、−ＯＣＨ２ＣＨ３；−ＯＣＨ２−Ｃ６Ｈ５；−ＯＣＨ＝Ｃ（ＣＨ３）（ＣＨ２）２ＣＨ＝Ｃ（ＣＨ３）２；−ＯＣ６Ｈ４−Ｃ（ＣＨ３）２−Ｃ６Ｈ５；および−ＯＣＨ（ＣＨ＝ＣＨ（ＣＨ２）７ＣＨ３）−（ＯＣＨ２ＣＨ＝Ｃ（ＣＨ３）（ＣＨ２）２ＣＨ＝Ｃ（ＣＨ３）２から構成される群から選択される請求項１記載の組成物。
【請求項３９】
前記化合物が、シトラール、シトラールジエチルアセタール、シトラールジゲラニルアセタール、ウンデシレン酸アルデヒドジゲラニルアセタール、シトラールエチレングリシルアセタール、シトラールジエチレングリシルアセタール、シトラールジベンジルアセタール、およびシトラールジクミルフェニルアセタールから構成された群から選択したメンバーを含む請求項１および２のいずれかに記載の組成物。
【請求項４０】
前記化合物が、シトラール、シトラールジゲラニルアセタール、シトラールエチレングリシルアセタール、シトラールジエチレングリシルアセタール、シトラールジベンジルアセタールおよびシトラールジクミルフェニルアセタールから構成される群から選択したメンバーを含む請求項１および２のいずれかに記載の組成物。
【請求項４１】
＝Ａが、３から２０個の炭素原子を有するアルケニル基である請求項２６記載の多相組成物。
【請求項４２】
＝Ａが、４から２０個の炭素原子と少なくとも２個の炭素−炭素二重結合を有するアルケニル基である請求項４１記載の多相組成物。
【請求項４３】
＝Ａが、５から２０個の炭素原子を有するシクロアルケニル基である請求項２記載の多相組成物。
【請求項４４】
−Ａが＝ＣＨ−ＣＨＲ１Ｒ２であり、Ｒ１およびＲ２は、−ＯＣＨ３；−ＯＣＨ２ＣＨ３；−ＯＣＨ２−Ｃ６Ｈ５；−ＯＣ６Ｈ４−Ｃ（ＣＨ３）２−Ｃ６Ｈ５；−ＯＣＨ（ＣＨ＝ＣＨ（ＣＨ２）７ＣＨ３）−（ＯＣＨ２ＣＨ＝Ｃ（ＣＨ３）（ＣＨ２）２ＣＨ＝Ｃ（ＣＨ３）２；および−ＯＣＨ＝Ｃ（ＣＨ３）（ＣＨ２）２ＣＨ＝Ｃ（ＣＨ３）２から構成される群からそれぞれ独立して選択される請求項２６記載の多相組成物。
【請求項４５】
＝Ａが＝ＣＨ−ＣＨ２Ｒ１であり、Ｒ１は、−ＯＣＨ３；−ＯＣＨ２ＣＨ３；−ＯＣＨ２−Ｃ６Ｈ５；−ＯＣＨ＝Ｃ（ＣＨ３）（ＣＨ２）２ＣＨ＝Ｃ（ＣＨ３）２；−ＯＣＨ（ＣＨ＝ＣＨ（ＣＨ２）７ＣＨ３）−（ＯＣＨ２ＣＨ＝Ｃ（ＣＨ３）（ＣＨ２）２ＣＨ＝Ｃ（ＣＨ３）２；および−ＯＣ６Ｈ４−Ｃ（ＣＨ３）２−Ｃ６Ｈ５から構成される群から選択される請求項２記載の多相組成物。
【請求項４６】
前記化合物が、シトラール、ゲラニオール、シトラールジメチルアセタール、シトラールジエチルアセタール、シトラールジゲラニルアセタール、ウンデシレン酸アルデヒドジゲラニルアセタール、シトラールエチレングリシルアセタール、シトラールジエチレングリシルアセタール、シトラールジベンジルアセタール、シトラールジクミルフェニルアセタール、ファルネセンおよびビサボレンから構成される群から選択したメンバーを含む請求項２記載の多相組成物。
【請求項４７】
前記第１および第２ポリマー類の少なくともひとつが、ポリオレフィン、ポリアクリレート、ポリエステル、塩素化ポリマー、スチレン系ポリマー、アイオノマー、およびポリカーボネートから構成される群から選択される請求項２記載の多相組成物。
【請求項４８】
前記第１および第２ポリマー類の少なくともひとつが、ポリエチレン、ポリプロピレン、ポリ（ビニルアルコール）、およびそれらのコポリマー類およびブレンド類から構成される群から選択したポリオレフィンを含む請求項４７記載の多相組成物。
【請求項４９】
前記第１および第２ポリマー類の少なくともひとつが、ポリ（メチルアクリレート）、ポリ（メチルメタクリレート）、ポリ（エチルアクリレート）、ポリ（エチルメタクリレート）、およびそれらのコポリマー類およびブレンド類から構成される群から選択したポリアクリレートを含む請求項４７記載の多相組成物。
【請求項５０】
前記第１および第２ポリマー類の少なくともひとつが、ポリ（ビニルクロリド）、ポリ（ビニリデンクロリド）、およびそれらのコポリマー類およびブレンド類から構成される群から選択した塩素化ポリマーを含む請求項４７記載の多相組成物。
【請求項５１】
前記第１および第２ポリマー類の少なくともひとつが、ポリ（エチレンテレフタレート）、ポリ（ブチレンテレフタレート）、ポリ（エチレンナフタレート）、ポリ（乳酸）、ポリ（グリコール酸）、およびそれらのコポリマー類およびブレンド類から構成される群から選択したポリエステルを含む請求項４７記載の多相組成物。
【請求項５２】
前記多相組成物がブレンドであり、前記第１ポリマーが前記第２ポリマーと異なる請求項２記載の多相組成物。
【請求項５３】
前記多相組成物が、クロージャーライナー、シーラントおよびガスケットから選択される請求項５２記載の多相組成物。
【請求項５４】
前記第１相および前記第２相が、層類として構成される請求項２記載の多相組成物。
【請求項５５】
請求項２または請求項２に従属する請求項２２乃至２６、３１乃至３４、３９、４０および４６乃至５１のいずれか１項に記載の組成物を含むパッケージ用壁体。
【請求項５６】
前記第１相および第２相がブレンドとして存在し、前記第１ポリマーが前記第２ポリマーと異なる請求項５５記載の壁体。
【請求項５７】
前記第１相および前記第２相が、層類として構成される請求項５５記載の壁体。
【請求項５８】
ポリオレフィン、ポリアクリレート、ポリエステル、塩素化ポリマー、スチレン系ポリマー、アイオノマー、およびポリカーボネートから構成される群から選択された第３ポリマーを含む第３相をさらに含み、前記第１、第２、および第３相が層類として構成される請求項５７記載の壁体。
【請求項５９】
ポリオレフィン、ポリアクリレート、ポリエステル、塩素化ポリマー、スチレン系ポリマー、アイオノマー、およびポリカーボネートから構成される群から選択された第４ポリマーを含む第４相をさらに含み、前記第１、第２、第３、および第４相が層類として構成されている請求項５８記載の壁体。
【請求項６０】
ポリオレフィン、ポリアクリレート、ポリエステル、塩素化ポリマー、スチレン系ポリマー、アイオノマー、およびポリカーボネートから構成される群から選択された第５ポリマーを含む第５相をさらに含み、前記第１、第２、第３、第４および第５相が層類として構成される請求項５９記載の壁体。
【請求項６１】
さらに、少なくとも１層の接着層を含む請求項５７記載の壁体。
【請求項６２】
さらに、バリアポリマーを含むバリア層を含む請求項５７記載の壁体。
【請求項６３】
前記パッケージが、ボトル、シートマテリアル、バッグ、トレイ、プレフォーム、ライナーまたはクロージャーの一部から選択される請求項５５記載の壁体。
【請求項６４】
請求項１または請求項１に従属する請求項２２乃至２６、３４および３９のいずれか１項に記載の組成物を含む酸素バリア組成物を製造する方法で、前記方法は、前記ポリマー、前記金属および前記化合物を組み合わせることを含む方法。
【請求項６５】
前記組み合わせが、前記金属と前記化合物を押し出し器中で前記ポリマーと組み合わせることを含む請求項６４記載の方法。
【請求項６６】
前記組み合わせが、前記金属、前記化合物および前記ポリマーを溶媒中で混合し液体混合物を形成し、前記液体混合物を基板上に沈着させることを含む請求項６４記載の方法。
【請求項６７】
前記沈着が、前記液体混合物を流延することおよび前記溶媒を蒸発させることを含む請求項６６記載の方法。
【請求項６８】
前記沈着がスプレイすることを含む請求項６６記載の方法。
【請求項６９】
前記化合物が、約０．００１重量％から約５重量％の濃度のポリマーと組み合わされる請求項６４記載の方法。
【請求項７０】
前記金属が、約３０ｐｐｍから約５，０００ｐｐｍの濃度のポリマーと組み合わされる請求項６４記載の方法。
【請求項７１】
請求項１または請求項２に従属する請求項２７、３１、３４、３５，３９，４０および４４乃至４６のいずれか１項に記載の多相組成物を形成することを含む酸素バリア性質を有するパッケージを製造する方法。
【請求項７２】
前記形成が、前記第１ポリマーと前記第２相を共押し出しすることを含む請求項７１記載の方法。
【請求項７３】
前記多相組成物がブレンドである請求項７２記載の方法。
【請求項７４】
前記形成が、前記第２相とともに前記第１相の層を塗布することを含む請求項７１記載の方法。
【請求項７５】
前記形成が、前記第２ポリマー、前記金属および前記化合物を加熱することによって第２相溶融物を形成すること；
前記第１ポリマー溶融物を金型に射出すること；および
前記第２相溶融物を前記金型に射出し多層構造物を形成すること、
を含む請求項７１記載の方法。
【請求項７６】
前記形成が、前記第１ポリマーを加熱することによって第１ポリマー溶融物を形成すること、前記第２ポリマー、前記金属および前記化合物を加熱することによって第２相溶融物を形成すること；および、第１ポリマー溶融物および第２相溶融物を金型に同時に射出し多層構造物を形成すること、
を含む請求項７１記載の方法。
【請求項７７】
前記多層構造物がプレフォームを含む請求項７５および７６のいずれかに記載の方法。
【請求項７８】
前記プロセッシングが、前記プレフォームを容器形状にブロー成形することを含む請求項７７記載の方法。
【請求項７９】
さらに、第３ポリマー溶融物を金型に射出することを含む請求項７５記載の方法。
【請求項８０】
前記多層構造物がパリソンを含む請求項７６記載の方法。
【請求項８１】
前記プロセッシングが、前記パリソンをブロー金型中に封入することおよび前記パリソンをブロー金型の形状に膨張させることを含む請求項８０記載の方法。
【請求項８２】
前記多相組成物がさらに第３ポリマーを含む第３相を含み、前記形成が、
前記第１ポリマーを加熱することによって第１ポリマー溶融物を形成すること；
前記第２ポリマー、前記金属および前記化合物を加熱することによって第２相溶融物を形成すること；
前記第３ポリマーを加熱することによって第３ポリマー溶融物を形成すること；および
前記第１ポリマー溶融物、前記第２相溶融物および前記第３ポリマー溶融物を金型に同時に射出し、多層構造物を形成すること、
を含む請求項７１記載の方法。
【請求項８３】
前記多相組成物がさらに第４ポリマーを含む第４相を含み、前記形成が、
前記第４ポリマーを加熱することによって第４ポリマー溶融物を形成すること；
および前記第４ポリマー溶融物を、前記第１ポリマー溶融物、前記第２相溶融物、および前記第３ポリマー溶融物と同時に金型に射出し、多層構造物を形成すること、
を含む請求項８２記載の方法。
【請求項８４】
前記パッケージが、ボトル、シートマテリアル、バッグおよびトレイから選択される請求項７１記載の方法。
【請求項８５】
前記第１ポリマーおよび第２ポリマーが、ポリオレフィン、ポリアクリレート、ポリエステル、塩素化ポリマー、スチレン系ポリマー、アイオノマー、およびポリカーボネートから構成される群からそれぞれ独立して選択される請求項７１記載の方法。
【請求項８６】
前記多相組成物が、層として構成された第１相および第２相を含み、さらに、第３相の層を含む請求項７１記載の方法。
【請求項８７】
前記多相組成物が、さらに、第４相の層を含む請求項８６記載の方法。
【請求項８８】
前記多層構造物がさらに少なくとも１層の接着層を含む請求項８６記載の方法。
【請求項８９】
前記多層構造物が、さらに、バリアポリマーを含むバリア層を含む請求項８６記載の方法。
【請求項９０】
物質の酸素含量を低減する方法であって、
パッケージ内に前記の物質を封入することを含み、前記パッケージは、ポリマー、金属および構造（ＩＩ）を有する化合物：
【化３】
2007504349.tif 000003
［上式中、
−Ｅは、−Ｃ（＝Ｏ）Ｈ、−ＣＨ２Ｒ１および−ＣＨＲ１Ｒ２からなる群から選択され；
Ｒ１は、Ｒ１が少なくとも２個の炭素原子を有し、カルボニル基を含有しないような−Ｏ−Ｒ３−Ｒ４または−Ｏ−Ｒ４であり、Ｒ３およびＲ４はそれぞれ独立に、アルキル、アルケニル、アルキニル、ヘテロアルキル、アリールおよび複素環からなる群から選択され；
Ｒ２は、Ｒ２が少なくとも２個の炭素原子を有し、カルボニル基を含有しないような−Ｏ−Ｒ５−Ｒ６または−Ｏ−Ｒ６であり、Ｒ５およびＲ６はそれぞれ独立に、アルキル、アルケニル、アルキニル、ヘテロアルキル、アリールおよび複素環からなる群から選択されるか；
Ｒ１およびＲ２は、それらが結合している原子と一緒になって、５から２０個の環原子を有する環を形成する］を含む物質の酸素含量を低減する方法。